(57)【要約】【課題】  キャリアシャフトの位置調整をより行いやすくした印刷機器を提供すること。【解決手段】  媒体に対してインクを吐出するインクヘッドを移動可能に保持するキャリアシャフト２００と、キャリアシャフト２００を保持するキャリアフレーム１００と、キャリアシャフト２００とキャリアフレーム１００とをキャリアシャフト２００の両端部２１０で連結する調整部（調整プレート３００と固定具４００を含む）と、頭部が上方に向けられ、調整部とキャリアフレーム１００とを固定するネジ４１０と、を備え、調整部は、ネジ４１０の固定状態を変化させることによって、媒体とキャリアシャフト２００との相対的な距離及び傾きを調整可能に形成されていることを特徴とする印刷機器を提供する。【選択図】  図１
2015168144.tif 000002
【特許請求の範囲】
【請求項１】
媒体に対してインクを吐出するインクヘッドを移動可能に保持するキャリアシャフトと、
前記キャリアシャフトを保持するキャリアフレームと、
前記キャリアシャフトと前記キャリアフレームとを前記キャリアシャフトの両端部で連結する調整部と、
頭部が上方に向けられ、前記調整部と前記キャリアフレームとを固定するネジと、を備え、
前記調整部は、前記ネジの固定状態を変化させることによって、前記媒体と前記キャリアシャフトとの相対的な距離及び傾きを調整可能に形成されている、
ことを特徴とする印刷機器。
【請求項２】
前記調整部は、
前記キャリアシャフトの軸に略垂直に形成された前記キャリアフレームの側面に取り付けられ、固定位置によって前記媒体に対する前記キャリアシャフトの相対的な距離及び傾きを調整可能な調整プレートと、
前記ネジと共に前記調整プレートを所定の位置で固定する固定具と、を含んで構成される
ことを特徴とする請求項１に記載の印刷機器。
【請求項３】
前記調整部は、
上方から見て略垂直に形成された前記キャリアフレームの底面に取り付けられた調整プレートを含んで構成され、
前記調整プレートは、前記キャリアフレームの底面との接続部を中心に回転可能であり、前記ネジによって所定の回転位置で固定され、
前記調整プレートの回転により前記キャリアシャフトの支持位置が変化することで、前記媒体に対する前記キャリアシャフトの相対的な距離及び傾きを調整可能である、
ことを特徴とする請求項１に記載の印刷機器。
【請求項４】
前記調整部は、
上方から見て略垂直に形成された前記キャリアフレームの底面に取り付けられた調整プレートを含んで構成され、
前記調整プレートは、前記キャリアフレームの底面に対して所定の方向に移動可能であり、前記ネジによって所定の位置で固定され、
前記調整プレートの移動により前記キャリアシャフトの支持位置が変化することで、前記媒体に対する前記キャリアシャフトの相対的な距離及び傾きを調整可能である、
ことを特徴とする請求項１に記載の印刷機器。
【発明の詳細な説明】
【技術分野】
【０００１】
本発明の一態様は、キャリアシャフトに移動可能に取り付けられたインクヘッドから媒体に対してインクを吐出する印刷機器に関する。
【背景技術】
【０００２】
従来から、印刷機器では、キャリアシャフトに移動可能に取り付けられたインクヘッドから媒体に対してインクを吐出することによって、媒体に対して印刷を実行するよう構成されている。このキャリアシャフトは、インクヘッドと媒体との距離及び傾きを調整可能に配置されており、組立工程においてインクヘッドと媒体との距離及び傾きが最適になるよう調整されていた。
【０００３】
図７は、従来のキャリアフレームとキャリアシャフトとの連結部の構成を示す図である。図７において、キャリアシャフト２００の端部２１０と、キャリアフレーム１００とは、調整部５００とネジ５１０とで連結されている。図７に示すように、従来の構成では、ネジ５１０によって、調整部５００に設けられたネジ穴を適当な位置で固定することで、キャリアフレーム１００に対するキャリアシャフト２００の位置を調整可能である。組立工程において、調整部５００のネジ５１０での固定位置を調整することで、印刷対象媒体に対するキャリアシャフト２００の距離及び傾きを調整可能であり、これによってキャリアシャフト２００に取り付けられたインクヘッドと媒体との距離及び傾きを調整していた。このとき、ネジ５１０に対しては、キャリアフレーム１００の側面に対して垂直に工具を差し込んでいた。
【０００４】
ところで、特許文献１及び引用文献２には、キャリッジをシャーシ側面からネジで固定する構成の画像記録装置について開示されている。
【先行技術文献】
【特許文献】
【０００５】
【特許文献１】特開２００５−１６９９６７号公報
【特許文献２】特開２００６−１４２７０１号公報
【発明の概要】
【発明が解決しようとする課題】
【０００６】
しかしながら、従来の構成の印刷機器では、組立工程におけるインクヘッドと媒体との距離及び傾きを調整するためのキャリアシャフトの位置調整の簡便化についての検討がなされていなかった。また、組立工程が完了した後にキャリアシャフトの位置の再調整が必要となった場合に、組み立てたセットを分解する必要があり、長時間を要していた。
【０００７】
本発明は、上記課題を解決するためになされたものであり、キャリアシャフトの位置調整をより行いやすくすることを目的の一つとする。
【課題を解決するための手段】
【０００８】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００９】
本発明の手段１は、
媒体に対してインクを吐出するインクヘッドを移動可能に保持するキャリアシャフト（２００）と、
前記キャリアシャフトを保持するキャリアフレーム（１００）と、
前記キャリアシャフトと前記キャリアフレームとを前記キャリアシャフトの両端部（２１０）で連結する調整部（調整プレート３００、３１０、または３２０）と、
頭部が上方に向けられ、前記調整部と前記キャリアフレームとを固定するネジ（４１０、及び３１３）と、を備え、
前記調整部（３００、３１０、または３２０）は、前記ネジの固定状態を変化させることによって、前記媒体と前記キャリアシャフトとの相対的な距離及び傾きを調整可能に形成されている、
ことを特徴とする印刷機器である。
【００１０】
上記の構成によれば、キャリアフレームに対して上方から工具を差し込んでネジを調整してキャリアシャフトの位置調整を行い、これによってインクヘッドと媒体との相対的な距離及び傾きを調整可能となる。よって、組立工程において、従来の構成のように側方（キャリアフレーム１００の側面に対向する方向）からではなく、上方から上記調整を行うことができるようになるため、省スペースでのキャリアシャフトの位置調整を実行可能となる。また、キャリアシャフトの位置の再調整を容易に行うことが可能となる。
【００１１】
ここで、キャリアフレームは、後述のように、キャリアフレームの側方を覆い上方を開放するようなカバーユニットと共に組み立てられるため、上記のように調整部に対して上方から工具を差し込んでネジを調整できるようにすることは、組立工程における省スペース化、及び再調整の容易化に効果を奏する。
【００１２】
本発明の手段２は、
前記調整部（３００）は、
前記キャリアシャフトの軸に略垂直に形成された前記キャリアフレームの側面に取り付けられ、固定位置によって前記媒体に対する前記キャリアシャフトの相対的な距離及び傾きを調整可能な調整プレート（３００）と、
前記ネジ（４１０）と共に前記調整プレートを所定の位置で固定する固定具（４００）と、を含んで構成される
ことを特徴とする手段１の印刷機器である。
【００１３】
上記の構成によれば、従来の構成をそのまま残しつつ、キャリアフレームに対して上方から工具を差し込んでネジを調整できるようにしている。これによって、大きな設計変更や金型の変更を行うことなく、省スペースでの組立を可能とし、キャリアシャフトの位置調整を容易に行うことができる。
【００１４】
本発明の手段３は、
前記調整部（３１０）は、
上方から見て略垂直に形成された前記キャリアフレームの底面に取り付けられた調整プレート（３１０）を含んで構成され、
前記調整プレートは、前記キャリアフレームの底面との接続部（固定部３１１）を中心に回転可能であり、前記ネジ（３１３）によって所定の回転位置で固定され、
前記調整プレートの回転により前記キャリアシャフトの支持位置（３１２）が変化することで、前記媒体に対する前記キャリアシャフトの相対的な距離及び傾きを調整可能である、
ことを特徴とする手段１の印刷機器である。
【００１５】
上記の構成によれば、媒体に対するキャリアシャフトの相対的な距離及び傾きを調整可能な構造を、回転可能な調整プレートにより構成することができる。
【００１６】
本発明の手段４は、
前記調整部（３２０）は、
上方から見て略垂直に形成された前記キャリアフレームの底面に取り付けられた調整プレート（３２０）を含んで構成され、
前記調整プレートは、前記キャリアフレームの底面に対して所定の方向に移動可能であり、前記ネジ（４１０）によって所定の位置で固定され、
前記調整プレートの移動により前記キャリアシャフトの支持位置（３１２）が変化することで、前記媒体に対する前記キャリアシャフトの相対的な距離及び傾きを調整可能である、
ことを特徴とする手段１の印刷機器である。
【００１７】
上記の構成によれば、媒体に対するキャリアシャフトの相対的な距離及び傾きを調整可能な構造を、移動可能な調整プレートにより構成することができる。
【図面の簡単な説明】
【００１８】
【図１】実施形態１のキャリアフレームとキャリアシャフトとの連結部を示す図。
【図２】実施形態１のキャリアフレームとキャリアシャフトとの連結部を示す図。
【図３】実施形態２のキャリアフレームとキャリアシャフトとの連結部を示す図。
【図４】実施形態２のキャリアフレームとキャリアシャフトとの連結部を示す図。
【図５】実施形態３のキャリアフレームとキャリアシャフトとの連結部を示す図。
【図６】実施形態３のキャリアフレームとキャリアシャフトとの連結部を示す図。
【図７】従来のキャリアフレームとキャリアシャフトとの連結部を示す図。
【発明を実施するための形態】
【００１９】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態１
２．実施形態２
３．実施形態３
４．補足事項
【００２０】
＜１．実施形態１＞
まず、本発明の実施形態１について、図１及び図２を参照しながら説明する。
【００２１】
図１は、本実施形態におけるキャリアフレーム１００とキャリアシャフト２００との連結部の斜視図である。図２は、本実施形態におけるキャリアフレーム１００とキャリアシャフト２００との連結部の上面図である。図１及び図２に示すように、キャリアフレーム１００とキャリアシャフト２００とは、キャリアシャフト２００の両端に設けられた端部２１０において、調整プレート３００、固定具４００、及びネジ４１０によって連結される。
【００２２】
キャリアフレーム１００は、キャリアシャフト２００を、キャリアシャフト２００の両端に設けられた端部２１０で保持可能に形成される。キャリアフレーム１００は、カバーユニット（図示せず）と組立可能に形成されている。カバーユニットは、キャリアフレーム１００の側方を覆い、上方を開放するよう形成される。キャリアフレーム１００は、印刷対象媒体である紙が通過可能に形成されている。
【００２３】
キャリアシャフト２００は、印刷時に印刷対象の媒体に対してインクを吐出するインクヘッドを、移動可能に保持するよう構成される。キャリアシャフト２００は、キャリアフレーム１００と噛み合わせられるよう形成された端部２１０と、端部２１０以外の円柱状の軸とによって構成される。なお、キャリアシャフト２００の端部２１０は、この円柱状の軸の一部を含む場合もある。インクヘッドは、このキャリアシャフト２００の軸に沿った方向に往復移動することができる。印刷の際には、インクヘッドがキャリアシャフト２００の軸方向に往復移動しながら媒体に対してインクを吐出する。
【００２４】
調整プレート３００は、キャリアシャフト２００の軸に垂直な面として形成されたキャリアフレーム１００の側面に取り付けられ、固定部３０１と、調整プレート３００の端部を挟むよう設けられた固定具４００とによって固定されている。調整プレート３００は、支持位置３０２でキャリアシャフト２００の端部２１０を支持している。調整プレート３００は、その固定位置が変化することで、この調整プレート３００とキャリアシャフト２００の端部２１０との接点（支持位置３０２）が上下方向に変化するよう形成されている。このように、調整プレート３００とキャリアシャフト２００の端部２１０との接点（支持位置３０２）が変化することで、印刷対象媒体である紙などに対するキャリアシャフト２００の相対的な距離及び傾きが変化する。これによって、媒体とインクヘッドとの相対的な距離及び傾きが変化することとなる。
【００２５】
固定具４００は、調整プレート３００を挟み込む切り欠きを備えた平板で形成され、ネジ４１０と共に調整プレート３００の位置を固定可能に形成されている。
【００２６】
ネジ４１０は、その頭部が上方に向けられるよう配置され、調整プレート３００とキャリアフレーム１００とを固定するよう構成される。
【００２７】
キャリアシャフト２００と媒体との相対的な距離及び傾きを調整する場合には、固定具４００及びネジ４１０を取り外し、調整プレート３００の固定位置を変化させたうえで、固定具４００及びネジ４１０を取り付ける。これによって、調整プレート３００が支持するキャリアシャフト２００が上下に移動し、媒体に対するキャリアシャフト２００の距離と傾きとが変化する。この調整は、キャリアシャフト２００の両端で実行される。なお、調整プレート３００と固定具４００とを含む構成を調整部と呼ぶことがある。
【００２８】
上記のように、本実施形態における印刷機器では、媒体に対してインクを吐出するインクヘッドを移動可能に保持するキャリアシャフト２００と、キャリアシャフト２００を保持するキャリアフレーム１００と、キャリアシャフト２００とキャリアフレーム１００とをキャリアシャフト２００の両端の端部２１０で連結する調整プレート３００と、頭部が上方に向けられ、調整プレート３００とキャリアフレーム１００とを固定するネジ４１０と、を備える。そして、調整プレート３００は、ネジ４１０の固定状態を変化させることによって、媒体とキャリアシャフト２００との相対的な距離及び傾きを調整可能に形成されている。
【００２９】
上記の構成によれば、キャリアフレーム１００の上方から工具を差し込んでネジ４１０を調整してキャリアシャフト２００の位置調整を行い、これによってインクヘッドと媒体との相対的な距離及び傾きを調整可能となる。よって、組立工程において、従来の構成のように側方（キャリアフレーム１００の側面に対向する方向）からではなく、上方から上記調整を行うことができるようになるため、省スペースでのキャリアシャフト２００の位置調整を実行可能となる。また、キャリアシャフト２００の位置の再調整を容易に行うことが可能となる。
【００３０】
また、本実施形態における印刷機器において、調整部は、上記のように、キャリアシャフト２００の軸に略垂直に形成されたキャリアフレーム１００の側面に取り付けられ、固定位置によって媒体に対するキャリアシャフト２００の相対的な距離及び傾きを調整可能な調整プレート３００と、ネジ４１０と共に調整プレート３００を所定の位置で固定する固定具４００と、を含んで構成されている。
【００３１】
上記の構成によれば、従来の構成をそのまま残しつつ、キャリアフレーム１００に対して上方から工具を差し込んでネジ４１０を調整できるようにしている。これによって、大きな設計変更や金型の変更を行うことなく、省スペースでの組立を可能とし、キャリアシャフト２００の位置調整を容易に行うことができる。
【００３２】
＜２．実施形態２＞
次に、本発明の実施形態２について、図３及び図４を参照しながら説明する。本実施形態では、実施形態１と比較して、調整プレートの構成が異なり、これによって、調整プレートによってキャリアシャフトの位置を調整する仕組みが相違する。以下の説明においては、この実施形態１との相違点を中心に説明し、実施形態１と同様の点についてはその説明を省略する。
【００３３】
図３は、本実施形態におけるキャリアフレーム１００とキャリアシャフト２００との連結部の斜視図である。図４は、本実施形態におけるキャリアフレーム１００とキャリアシャフト２００との連結部の上面図である。
【００３４】
図３に示すように、キャリアフレーム１００は、側面と一体形成された底面１１０を含む。キャリアフレーム１００の側面と底面１１０とは、正面から見るとＬ字状に形成されている。このキャリアフレーム１００の底面１１０は、上方から見て垂直な面として形成されている。
【００３５】
図３及び図４に示すように、調整プレート３１０は、上記底面１１０に載置するよう取り付けられ、固定部３１１とネジ穴３１３に配置されたネジによって固定される。図３に示すように、調整プレート３１０は、底面１１０に載置された平板部分と、この平板部分に対して垂直に形成された垂直部分とによって形成されており、この垂直部分の支持位置３１２でキャリアシャフト２００を支持するよう形成されている。ネジ穴３１３をネジで固定しない状態では、調整プレート３１０は固定部３１１を中心に回転可能であり、ネジ穴３１３をネジで固定することで、調整プレート３１０は所定の回転位置で固定される。調整プレート３１０は、調整プレート３１０が回転すると、この調整プレート３１０とキャリアシャフト２００との接点（支持位置３１２）の高さが変化するよう形成されている。このように、調整プレート３１０とキャリアシャフト２００との接点（支持位置３１２）が変化することで、印刷対象媒体である紙などに対するキャリアシャフト２００の相対的な距離及び傾きが変化する。これによって、媒体とインクヘッドとの相対的な距離及び傾きが変化することとなる。なお、支持位置３１２によって支持されているキャリアシャフト２００の部分を、キャリアシャフト２００の端部と呼ぶことがある。
【００３６】
ネジは、上記のようにネジ穴３１３に、その頭部が上方に向けられるよう配置され、調整プレート３１０とキャリアフレーム１００の底面１１０とを固定するよう構成される。
【００３７】
キャリアシャフト２００と媒体との相対的な距離及び傾きを調整する場合には、ネジ穴３１３に配置されたネジを取り外し、調整プレート３１０の回転位置を変化させたうえで、ネジ穴３１３にネジを取り付ける。これによって、調整プレート３１０が支持するキャリアシャフト２００が上下に移動し、媒体に対するキャリアシャフト２００の距離と傾きとが変化する。この調整は、キャリアシャフト２００の両端で実行される。
【００３８】
上記のように、実施形態１における調整部の構成を変化させたとしても、実施形態１と同様の効果を奏することができる。
【００３９】
また、上記の構成によれば、媒体に対するキャリアシャフトの相対的な距離及び傾きを調整可能な構造を、回転可能な調整プレートにより構成することができる。３１０
【００４０】
＜３．実施形態３＞
次に、本発明の実施形態３について、図５及び図６を参照しながら説明する。本実施形態では、実施形態１と比較して、調整プレートの構成が異なり、これによって、調整プレートによってキャリアシャフトの位置を調整する仕組みが相違する。以下の説明においては、この実施形態１との相違点を中心に説明し、実施形態１と同様の点についてはその説明を省略する。
【００４１】
図５は、本実施形態におけるキャリアフレーム１００とキャリアシャフト２００との連結部の斜視図である。図６は、本実施形態におけるキャリアフレーム１００とキャリアシャフト２００との連結部の上面図である。
【００４２】
図５に示すように（実施形態２と同様に）、キャリアフレーム１００は、側面と一体形成された底面１１０を含む。キャリアフレーム１００の側面と底面１１０とは、正面から見るとＬ字状に形成されている。このキャリアフレーム１００の底面１１０は、上方から見て垂直な面として形成されている。
【００４３】
図５及び図６に示すように、調整プレート３２０は、上記底面１１０に載置するよう取り付けられ、可動固定部３２２に配置されたネジ４１０によって一点で固定される。図５に示すように、調整プレート３２０は、底面１１０に載置された平板部分と、この平板部分に対して垂直に形成された垂直部分とによって形成されており、この垂直部分の支持位置３２１でキャリアシャフト２００を支持するよう形成されている。可動固定部３２２のいずれかの位置でネジ４１０によって固定されることで、調整プレート３２０は所定の移動位置で固定される。調整プレート３２０は、調整プレート３２０の移動によって、この調整プレート３２０とキャリアシャフト２００との接点（支持位置３２１）の高さが変化するよう形成されている。このように、調整プレート３２０とキャリアシャフト２００との接点（支持位置３２１）が変化することで、印刷対象媒体である紙などに対するキャリアシャフト２００の相対的な距離及び傾きが変化する。これによって、媒体とインクヘッドとの相対的な距離及び傾きが変化することとなる。なお、支持位置３２１によって支持されているキャリアシャフト２００の部分を、キャリアシャフト２００の端部と呼ぶことがある。
【００４４】
ネジ４１０は、上記のように可動固定部３２２のいずれかの位置に、その頭部が上方に向けられるよう配置され、調整プレート３２０とキャリアフレーム１００の底面１１０とを固定するよう構成される。
【００４５】
キャリアシャフト２００と媒体との相対的な距離及び傾きを調整する場合には、ネジ４１０を取り外し、調整プレート３２０の固定位置を可動固定部３２２のいずれかの位置に変化させたうえで、ネジ４１０を取り付ける。これによって、調整プレート３２０が支持するキャリアシャフト２００が上下に移動し、媒体に対するキャリアシャフト２００の距離と傾きとが変化する。この調整は、キャリアシャフト２００の両端で実行される。
【００４６】
上記のように、実施形態１における調整部の構成を変化させたとしても、実施形態１と同様の効果を奏することができる。
【００４７】
また、上記の構成によれば、媒体に対するキャリアシャフトの相対的な距離及び傾きを調整可能な構造を、移動可能な調整プレート３２０により構成することができる。
【００４８】
また、上記の構成に加え、調整プレート３２０が、キャリアフレーム１００に対して一軸にのみ移動可能になるような構成にしてもよい。この場合、調整プレート３２０及びキャリアフレーム１００の一方には溝部を、他方には溝部に入り込むような凸部を設け、この溝部に沿った一軸方向にのみ、調整プレート３２０がキャリアフレーム１００に対して移動可能にしてもよい。
【００４９】
＜４．補足事項＞
以上、本発明の各実施形態についての具体的な説明を行った。上記説明は、あくまで一実施形態としての説明であって、本発明の範囲はこの一実施形態に留まらず、当業者が把握可能な範囲にまで広く解釈されるものである。
【００５０】
例えば、ネジ４１０の頭部は上方に向けられていると説明しているが、設置状態における完全な上方（重力が生じる軸に沿った方向）である必要はなく、カバーユニットの解放された上方部分から工具を挿入可能な方向であればよい。
【産業上の利用可能性】
【００５１】
本発明は、印刷機能を備える印刷機器などに好適に適用される。
【符号の説明】
【００５２】
１００…キャリアフレーム
１１０…底面
２００…キャリアシャフト
２１０…端部
３００、３１０、３２０…調整プレート
３０１、３１１…固定部
３０２、３１２、３２１…支持位置
３１３…ネジ穴
３２２…可動固定部
４００…固定具
４１０、５１０…ネジ
５００…調整部
【図１】
2015168144.tif 000003
【図２】
2015168144.tif 000004
【図３】
2015168144.tif 000005
【図４】
2015168144.tif 000006
【図５】
2015168144.tif 000007
【図６】
2015168144.tif 000008
【図７】
2015168144.tif 000009